(57)【特許請求の範囲】
【請求項１】
情報を記憶可能な記憶部を備えたシートを上下方向に積載する積載手段と、
前記積載手段から供給される前記シートを搬送する搬送手段と、
前記記憶部に対して、情報の書き込みと読み込みの少なくとも一方を含む情報伝送を行う情報伝送手段と、
前記積載手段に積載される前記シートを、前記積載手段から前記搬送手段へ供給するときの位置である第１の位置と、該第１の位置よりも下方である第２の位置と、に移動するために、前記積載手段を移動する移動手段と、
前記情報伝送手段によって前記記憶部に対して情報伝送が行われる間、前記積載手段に積載された前記シートが前記第２の位置にあるように、前記移動手段を制御する制御手段と、
を有することを特徴とする情報伝送装置。
【請求項２】
前記シートが前記第１の位置にあるとき、前記積載手段に積載される前記シートの前記記憶部は前記情報伝送により影響を受ける干渉領域の内側にあり、
前記シートが前記第２の位置にあるとき、前記積載手段に積載される前記シートの前記記憶部は前記干渉領域の外側にある
ことを特徴とする請求項１に記載の情報伝送装置。
【請求項３】
前記制御手段は、前記情報伝送を行うときに、対象となる前記シートの搬送を一時的に停止することを特徴とする請求項１または２に記載の情報伝送装置。
【請求項４】
前記搬送手段は、前記積載手段から供給された前記シートを一時的に把持可能であり、
前記情報伝送手段は、前記搬送手段が把持した状態の前記シートに対して前記情報伝送を行うことを特徴とする請求項１から３のいずれか１項に記載の情報伝送装置。
【請求項５】
前記記憶部は非接触ＩＣタグであり、
前記情報伝送手段は、前記非接触ＩＣタグに対して、通信アンテナを介して前記情報伝送を行うことを特徴とする請求項１から４のいずれか１項に記載の情報伝送装置。
【請求項６】
前記移動手段は、前記搬送手段に供給される前記シートを複数積載して昇降可能な供給トレイであることを特徴とする請求項１から５のいずれか１項に記載の情報伝送装置。
【請求項７】
情報を記憶可能な記憶部を備えたシートを搬送する搬送手段と、
前記搬送手段が搬送した前記シートの前記記憶部に対して、情報の書き込みと読み込みの少なくとも一方の情報伝送を行う情報伝送手段と、
前記シートの搬送方向において前記情報伝送手段よりも下流側に位置し、前記搬送手段が搬送したシートを受け取って上下方向に載置可能な載置手段と、
前記載置手段に載置された前記シートを、前記搬送手段から前記シートを受け取るときの位置である第１の位置と、該第１の位置よりも下方の位置である第２の位置と、に移動するために、前記載置手段を移動する移動手段と、
前記載置手段に載置する前記シートが前記第２の位置にある状態で、前記記憶部に対する前記情報伝送を行い、前記載置手段に積載する前記シートが前記第１の位置にある状態で、前記搬送手段からの前記シートの受け取りを行う制御手段と、
を有することを特徴とする情報伝送装置。
【請求項８】
前記シートが前記第１の位置にあるとき、前記載置手段に積載される前記シートの前記記憶部は前記情報伝送により影響を受ける干渉領域の内側にあり、
前記シートが前記第２の位置にあるとき、前記載置手段に積載される前記シートの前記記憶部は前記干渉領域の外側にある
ことを特徴とする請求項７に記載の情報伝送装置。
【請求項９】
ホスト装置と通信可能な通信手段を備え、
前記制御手段は、前記ホスト装置からの指示に基づいて動作することを特徴とする請求項１から８のいずれか１項に記載の情報伝送装置。
【請求項１０】
請求項１から９のいずれか１項に記載の情報伝送装置と一体に構成され、
前記搬送手段によって搬送される前記シートに、画像を記録する記録手段を備えることを特徴とする記録装置。
【発明の詳細な説明】
【技術分野】
【０００１】
本発明は、非接触ＩＣタグなどの情報の記憶部に、情報の書き込みおよび／または読み込みを行う情報伝送装置および記録装置に関するものである。
【背景技術】
【０００２】
特許文献１には、略水平方向の搬送ラインに沿って、情報の記憶部としての非接触ＩＣタグを含む複数のシートを連続的に搬送しつつ、リーダライタによって、それらのシートの記憶部に情報の書き込みまたは読み込みを行う情報伝送装置が記載されている。この装置は、搬送ライン上の複数のシートの記憶部と、リーダライタと、の混信を抑制するために、それらのシートの間隔を搬送ライン上において大きくずらして、情報の確実な書き込みまたは読み込みに必要な空間を確保するように構成されている。具体的には、先行のシートの記憶部がリーダライタと対向して情報の書き込みまたは読み込みが行われているときに、後続のシートを先行のシートに近付けないように、その後続のシートを搬送ライン上において一時的に停止させる。
【先行技術文献】
【特許文献】
【０００３】
【特許文献１】特開２００８−４４１５３号公報
【発明の概要】
【発明が解決しようとする課題】
【０００４】
しかしながら、特許文献１に記載の装置は、記憶部に対する情報の書き込みまたは読み込み時に、シートの間隔を搬送ライン上において大きくずらす必要があるため、搬送ラインが長くなって、装置全体の大型化を招くおそれがある。
【０００５】
本発明の目的は、情報の確実な書き込みおよび／または読み込みに必要な空間を確保しつつ、装置全体の小型化を図ることができる情報伝送装置および記録装置を提供することにある。
【課題を解決するための手段】
【０００６】
本発明の情報伝達装置は、情報を記憶可能な記憶部を備えたシートを上下方向に積載する積載手段と、前記積載手段から供給される前記シートを搬送する搬送手段と、前記記憶部に対して、情報の書き込みと読み込みの少なくとも一方を含む情報伝送を行う情報伝送手段と、前記積載手段に積載される前記シートを、前記積載手段から前記搬送手段へ供給するときの位置である第１の位置と、該第１の位置よりも下方である第２の位置と、に移動するために、前記積載手段を移動する移動手段と、前記情報伝送手段によって前記記憶部に対して情報伝送が行われる間、前記積載手段に積載された前記シートが前記第２の位置にあるように、前記移動手段を制御する制御手段と、を有することを特徴とする。
【発明の効果】
【０００７】
本発明によれば、情報の確実な書き込みおよび／または読み込みに必要な空間を確保しつつ、装置全体の小型化を図ることができる。
【図面の簡単な説明】
【０００８】
【図１】本発明の第１の実施形態の情報伝送装置としての記録装置の説明図である。
【図２】図１の記録装置の概略断面図である。
【図３】図１の記録装置の制御コマンドの説明図である。
【図４】図３の制御コマンドの転送例の説明図である。
【図５】図１の記録装置の制御系のブロック図である。
【図６】図１の記録装置のデータの書き込み動作の説明図である。
【図７】図１の記録装置の記録動作の説明図である。
【図８】図１の記録装置のデータの書き込みおよび画像の記録動作を説明するためのフローチャートである。
【図９】本発明の第２の実施形態の情報伝送装置としての記録装置の説明図である。
【図１０】図９の記録装置の制御系のブロック図である。
【図１１】図９の記録装置のデータの書き込みおよび画像の記録動作を説明するためのフローチャートである。
【図１２】本発明の第３の実施形態の情報伝送装置としての記録装置の説明図である。
【図１３】図１２の記録装置のデータの書き込みおよび画像の記録動作を説明するためのフローチャートである。
【発明を実施するための形態】
【０００９】
以下、本発明の実施形態について図面を参照して説明する。  
（第１の実施形態）
本実施形態の情報伝送装置は記録装置１０１として構成されており、その記録装置１０１は、図１（ａ）のように、ホスト装置（ホストコンピュータ）１００に接続されて記録システムを構成する。記録装置１０１は、プリンタケーブル１０２によって、情報処理装置としてのホスト装置１００に接続される。ホスト装置１００は、画像データおよび記録媒体に関する情報などを制御コマンドとして、プリンタケーブル１０２を介して記録装置１０１に出力する。
【００１０】
図１（ｂ）は、非接触ＩＣタグ（記憶部）２０５を内蔵したカード（シート、物体）２０１の模式図であり、このカード２０１は記録媒体ともなる。非接触ＩＣタグ２０５は、電子情報を記憶可能な不揮発性メモリを搭載したＩＣチップ２０３と、ループアンテナ２０２と、を含み、紙もしくはＰＥＴ樹脂のフィルム２０４によって覆われている。カード２０１は電源を持たず、記録装置１０１に備わる後述の通信アンテナからの電波を利用して電力を発生させ、それを内部電源として、通信アンテナを介して非接触ＩＣタグ２０５に電子情報を書込むことができる。
【００１１】
図２は、記録装置１０１の主要部分の構成図である。本例の記録装置１０１は、吐出口からインクを吐出可能な記録ヘッド３００を含む記録ユニット３０１と、記録ヘッド３００の吐出口を保護する回復桶３０２と、記録媒体を略水平の矢印Ａ方向（第１の方向）に搬送する搬送ユニット３０３と、を備える。記録ヘッド３００の吐出口は、記録媒体の幅全体に渡って複数配列されている。記録ヘッド３００は、ブラックインク吐出用の記録ヘッド３００Ｋ、シアンインク吐出用の記録ヘッド３００Ｃ、マゼンタインク吐出用の記録ヘッド３００Ｍ、およびイエローインク吐出用の記録ヘッド３００Ｙと、を含む。これらのインクによって、記録媒体にカラー画像を記録することができる。記録ヘッド３００は、電気熱変換素子（ヒータ）やピエゾ素子などの吐出エネルギー発生素子を用いて、吐出口からインクを吐出するように構成されている。吐出エネルギー発生素子としてヒータを用いた場合には、その発熱によってインクを発泡させ、その発泡エネルギーを利用して、吐出口からインクを吐出することができる。搬送ユニット３０３における搬送方向Ａの上流側には、カード２０１を複数格納可能な供給ユニット（シート供給部）３０６が配備されている。本例の供給ユニット３０６は、記録媒体としてのカード２０１を複数積載可能な供給トレイ３０５を含む。その供給トレイ３０５は、カード２０１の搬送方向Ａと交差（本例の場合は、直交）する略鉛直方向（第２の方向）に延在する経路に沿って、不図示のトレイ昇降モータにより昇降可能である。供給ユニット３０６は、後述する図５の供給モータ５１３によって、供給トレイ３０５上の記録媒体（カード２０１を含む）を搬送ユニット３０３に供給する。本例の供給ユニット３０６は、搬送ベルト３０３Ａを用いて、記録媒体を略水平の矢印Ａ方向に搬送する。
【００１２】
搬送ユニット３０３に備わるセンサ（以下、「ＴＯＦセンサ」）３０７によって記録媒体の先端が検知され、記録ヘッド３００は、その先端検知をトリガにしてインクを吐出することにより、記録媒体に画像を記録する。搬送ユニット３０３に設置される書き込み装置３０４は、記録媒体としてのカード２０１の非接触ＩＣタグ２０５に電子情報を書き込む。この書き込み装置３０４は、搬送ユニット３０３の内部ではなく、供給ユニット３０６内に配備してもよい。また、搬送ユニット３０３の搬送方向Ａの下流側に、搬送ユニット３０３から排出されるカード２０１を載置可能の排出トレイ（シート載置部）を上下動可能に備えてもよい。この場合には、その排出トレイ側に書き込み装置３０４を配備してもよい。
【００１３】
図３は、ホスト装置１００から送信される種々の制御コマンドの構造の説明図である。
制御コマンドの先頭には、制御コマンドの種類を識別する識別コードが位置し、それに続いて、制御コマンドに関する付帯的な指示を設定するオペランドが位置する。制御コマンドの種類によっては、オペランドがなく、識別コードのみで構成される場合もある。制御コマンドとしては、カード２０１を含む記録媒体のサイズ等を設定する用紙設定コマンド４０１、記録データの基準となる設定が存在するフォーマットコマンド４０２、記録装置本体の動作設定をする動作設定コマンド４１２がある。さらに、文字、イメージ、ＩＣタグ夫々の詳細情報を設定するデータコマンド４０３、４０４、４０５、および記録データの終了を示してジョブの開始を指示するジョブ開始コマンド４１０などがある。これらの制御コマンドは、図４の記録コマンド転送例４１１のように、コマンド列としてホスト装置１００から記録装置１０１に出力される。
【００１４】
記録媒体としてのカード２０１のＩＣタグ２０５におけるＩＣチップ２０３の種類は、用紙設定コマンド４０１のＩＣチップタイプオペランド４０６に設定され、ＩＣタグサイズは、ＩＣタグ取付位置オペランド４０７に設定される。記録装置の給紙モード（記録媒体の供給モード）は、記録装置の動作設定コマンド４１２の給紙モードオペランド４１３に設定され、記録装置の搬送速度は搬送速度オペランド４１４に設定される。また、記録装置のＩＣタグ通信開始位置は、ＩＣタグ通信開始位置オペランド４１５に設定される。ＩＣタグ通信開始位置オペランド４１５は、ＩＣタグ２０５が取り付けられたカード２０１を検出してから、ＩＣタグ２０５との通信を開始するまでの搬送距離を設定するオペランドとなる。ＩＣチップ２０３への書込みデータ量は、ＩＣタグデータコマンド４０５のデータ長オペランド４０８に設定され、書込みデータはデータオペランド４０９に設定される。
【００１５】
図５は、記録装置１０１の制御系の構成を示すブロック図である。  
図５において、記録装置全体を制御するメインコントローラ５０１は、ＣＰＵ５０１ａを内蔵し、後述する種々の機能、すなわち入力データを記憶するための記憶制御機能、データ制御機能、および記録動作に必要な種々の設定のための設定制御機能などを有する。メインコントローラ５０１は、インタフェース（不図示）を介してホスト装置１００に接続されて、互いに信号の授受を行う。また、メインコントローラ５０１に接続されるＲＯＭ５０２は、制御プログラムなどを格納し、メインコントローラ５０１は、ＲＡＭ５０３を作業領域としてそれらのプログラムを実行する。
【００１６】
ＲＡＭ５０３には、ＩＣタグデータをページ単位で格納するＩＣタグバッファメモリ５０４が含まれており、ＩＣタグ２０５に書込むためにホスト装置１００から転送されたデータを格納する。メインコントローラ５０１に接続されたＩＣタグ通信回路（書き込み装置通信回路）５０５は、ＩＣタグ通信アンテナ（書き込み用通信アンテナ）５０６を通して、ＩＣタグバッファ５０４内のデータをＩＣタグ２０５に書込む。
【００１７】
イメージバッファメモリ５０７は、ホスト装置１００から送信される画像データをページ単位で格納する。イメージバッファメモリ５０７は、ブラック成分、シアン成分、マゼンタ成分、シアン成分、イエロー成分の画像データのそれぞれを一時的に格納するイメージバッファ５０７Ｂｋ、５０７Ｃ、５０７Ｍ、５０７Ｙを含む。記録ヘッド３００の吐出エネルギー発生素子は、ヘッド駆動回路５０９によって駆動される。メインコントローラ５０１に接続されたドライバコントローラ５０８は、イメージバッファメモリ５０７にビットマップ形式で格納された各色成分の画像データにしたがって、ヘッド駆動回路５０９を制御する。これにより、画像データに基づいて記録ヘッド３００がインクを吐出して、記録媒体に画像を記録する。
【００１８】
駆動回路５１０は、供給トレイ３０５を昇降させる供給トレイ昇降機構のトレイ昇降モータ５１１を駆動し、駆動回路５１２は、供給ユニット３０６の供給モータ５１３を駆動し、駆動回路５１４は、搬送ユニット３０３のモータ５１５を駆動する。これらの駆動回路は、いずれもメインコントローラ５０１によって制御される。センサ回路５１６は、前述したＴＯＦセンサ３０７を含む種々のセンサを総称したものである。
【００１９】
図６（ａ），（ｂ）は、１枚目のカード２０１ａのＩＣタグ２０５にデータを書き込む動作の説明図である。  
供給モータ５１３の駆動により、図６（ａ）のように、供給トレイ３０５における最上位の１枚目のカード２０１ａが供給ユニット３０６から搬送ユニット３０３へ供給される。その後、トレイ昇降モータ５１１の駆動により、図６（ｂ）のように供給トレイ３０５が下降する。その際、供給トレイ３０５は、２枚目以降のカード２０１が干渉領域６０１内に入らないように下降する。干渉領域６０１は、書き込み装置３０４が１つのカード２０１のＩＣタグ２０５にデータの書き込む際に、他のカード２０１のＩＣタグ２０５の干渉を受けたり、あるいは影響を与えたりするおそれがある領域である。干渉領域６０１は、書き込み装置３０４とＩＣタグ２０５の性能によって異なるため、その干渉領域６０１の大きさに応じて供給トレイ３０５の下降量を調整する。
【００２０】
図６（ｂ）のように、供給トレイ３０５上のカード２０１が干渉領域６０１の外に位置するまで、供給トレイ３０５が下降した後、書き込み装置３０４が１枚目のカード２０１ａのＩＣタグ２０５にデータを書き込む。その書き込みが正常に終了しなかった場合には、書き込み失敗エラーをホスト装置１００に通知する。このような書き込みは、搬送ユニット３０３によるカード２０１ａの搬送中に実施してもよく、または搬送ユニット３０３を一時停止させた状態で実施してもよい。
【００２１】
図７（ａ），（ｂ）は、１枚目のカード２０１ａのＩＣタグ２０５に対するデータの書き込み終了後の動作の説明図である。  
１枚目のカード２０１ａのＩＣタグ２０５に対するデータの書き込みが終了した後、図７（ａ）のように、そのカード２０１ａに記録ユニット３０１によって画像を記録する。その際、カード２０１ａが干渉領域６０１の外にまで搬送されていれば、図７（ａ），（ｂ）のように、次の２枚目の２０１ｂの供給動作および書き込み動作を始めることができる。カード２０１ａが干渉領域６０１の外にまで搬送されているか否かは、ＴＯＦセンサ３０７、あるいは他のセンサを用いて判定することができる。
【００２２】
図８は、カード２０１のＩＣタグ２０５に対するデータの書き込み処理、およびカード２０１に対する画像の記録処理を説明するためのフローチャートである。本例においては、搬送ユニット３０３によるカード２０１の搬送中にデータの書き込みを実施する。
【００２３】
記録装置１０１は、ホスト装置１００から図４のような記録コマンドを受信することにより（ステップＳ１）、まず供給トレイ３０５を上昇させて（ステップＳ２）、最上位の１枚目のカード２０１ａを供給可能な状態とする。図６（ａ）のように、１枚目のカード２０１ａを供給ユニット３０６から搬送ユニット３０３に供給させてから（ステップＳ３）、搬送ユニット３０３によってカード２０１ａの搬送を開始する（ステップＳ４）。その搬送開始後、カード２０１ａのＩＣタグ２０５に対するデータの書き込みに備えて、図６（ｂ）のように供給トレイ３０５を下降させる（ステップＳ５）。ＩＣタグ２０５に対するデータの書き込み可能位置に、カード２０１ａが到達したか否かを判定し（ステップＳ６）、その書き込み可能に達するまでカード２０１ａを搬送する。そして、その書き込み可能位置にカード２０１ａが到達後、２枚目以降の未搬送のカード２０１が干渉領域６０１の外に位置まで下降したか否か、つまり供給トレイ３０５の下降が完了したか否かを判定する（ステップＳ７）。その下降が完了してなければ、その完了を待つ。
【００２４】
供給トレイ３０５の下降が完了した後、書き込み装置３０４によってカード２０１ａのＩＣタグ２０５にデータを書き込む（ステップＳ８）。そのデータの書き込み終了後（ステップＳ９）、その書き込みが成功したかどうか判定し（ステップＳ１０）、その書き込みが正常に終了しなかった場合には、ホスト装置１００に書き込みエラーを通知する。この書き込みが正常に終了したか否かは、書き込み装置３０４とは別に備えた読み取り装置によって、ＩＣタグ２０５に書き込まれたデータを読み取ることにより判定してもよい。データの書き込みが正常終了した場合には、記録ユニット３０１によってカード２０１ａに画像を記録してから（ステップＳ１１）、所定枚数のカードに対する処理（データ書き込み処理および画像の記録処理）が完了したか否かを判定する（ステップＳ１２）。所定枚数のカードに対する処理が完了したときは、図８の一連の処理を終了する。
【００２５】
所定枚数のカードに対する処理が完了していないときには、干渉領域６０１内にカード２０１が存在していないことを確認してから（ステップＳ１３）、先のステップＳ２に戻る。干渉領域６０１内にカード２０１が存在しているときは、それが干渉領域６０１の外に搬送されるまで待機してから、先のステップＳ２に戻る。
【００２６】
図８の例においては、カード２０１の供給前においてのみ供給トレイ３０５を上昇させる。しかし、ＩＣタグ２０５にデータの書き込んでいる以外のとき、例えば、ＩＣタグ２０５に対するデータの書き込みが終了したステップＳ９の後に、供給トレイ３０５を上昇させてもよい。また、図８の例においては、複数枚のカードを処理する場合に、データの書き込み処理と、画像の記録処理と、の実施時期をずらしている。しかし、１つのカードに対するデータの書き込み処理時に、他のカードが干渉領域６０１の外に位置していていなければ、先行するカードに対する記録処理と、後続のカードに対するデータの書き込み処理と、を並行して実施することもできる。
【００２７】
また、排出トレイ側に書き込み装置３０４を設けてもよい。この場合であっても、データ書き込み時に排出トレイ上のカード２０１が干渉領域６０１に入らないように排出トレイを移動することにより、既にデータの書き込みを終えたカード２０１と干渉することなく、データ書き込みを行うことができる。
【００２８】
本実施形態の記録装置は、複数のカードにおけるＩＣタグ同士の干渉を抑制しつつ、記録装置の小型化が実現できる。
【００２９】
（第２の実施形態）
図９から図１１は、本発明の第２の実施形態の説明図であり、前述した第１の実施形態と同様の部分については説明を省略する。
【００３０】
本実施形態においては、図９のように、カード２０１を把持するためのローラ８０１が搬送ユニット３０３の搬送方向上流側に備えられ、図１０のように、そのローラ８０１を駆動するモータ９０２は駆動回路９０１によって制御される。ローラ８０１は、モータ９０２によって駆動されることにより、供給ユニット３０６から供給された１枚のカード２０１を、搬送ユニット３０３のベルト３０３Ａとの間にて挟持することができる。これにより、そのカードは、搬送ユニット３０３と供給ユニット３０６との間において一時的に保持される。また、図９のように、書き込み装置３０４は搬送ユニット３０３内に配備されている。
【００３１】
図１１は、カード２０１のＩＣタグ２０５に対するデータの書き込み処理、およびカード２０１に対する画像の記録処理を説明するためのフローチャートである。前述した第１の実施形態における図８のフローチャートと同様の処理については、同一のステップ番号を付す。
【００３２】
第１の実施形態と同様に、ホスト装置１００から記録コマンドを受信することにより（ステップＳ１）、まず供給トレイ３０５を上昇させて（ステップＳ２）、最上位の１枚目のカード２０１ａを供給可能な状態とする。その後、本実施形態においては、１枚目のカード２０１ａを供給ユニット３０６から搬送ユニット３０３に供給させてから（ステップＳ３）、図９のように、そのカード２０１を、ローラ８０１を用いて把持する（ステップＳ２１）。
【００３３】
このようにカード２０１ａを把持した後は、前述した実施形態と同様に、供給トレイ３０５を下降させる（ステップＳ５）。そして、２枚目以降のカード２０１が干渉領域６０１の外に位置まで下降したか否か、つまり供給トレイ３０５の下降が完了したか否かを判定し（ステップＳ７）、その下降が完了してなければ、その完了を待つ。供給トレイ３０５の下降が完了した後、書き込み装置３０４によってカード２０１ａのＩＣタグ２０５にデータを書き込む（ステップＳ８）。そのデータの書き込み終了後（ステップＳ９）、その書き込みが成功したかどうか判定し（ステップＳ１０）、その書き込みが正常に終了しなかった場合には、ホスト装置１００に書き込みエラーを通知する。この書き込みが正常に終了したか否かは、書き込み装置３０４とは別に備えた読み取り装置によって、ＩＣタグ２０５に書き込まれたデータを読み取ることにより判定してもよい。
【００３４】
本実施形態においては、データの書き込みが正常終了した場合に、搬送ユニット３０３によりカード２０１ａを搬送させる（ステップＳ２２）。そして、記録ユニット３０１によってカード２０１ａに画像を記録してから（ステップＳ１１）、所定枚数のカードに対する処理（データ書き込み処理および画像の記録処理）が完了したか否かを判定する（ステップＳ１２）。所定枚数のカードに対する処理が完了したときは、図１１の一連の処理を終了する。
【００３５】
所定枚数のカードに対する処理が完了していないときには、前述した実施形態と同様に、干渉領域６０１内にカード２０１が存在していないことを確認してから（ステップＳ１３）、先のステップＳ２に戻る。干渉領域６０１内にカード２０１が存在しているときは、それが干渉領域６０１の外に搬送されるまで待機してから、先のステップＳ２に戻る。
【００３６】
前述した第１の実施形態と同様に、図１１の例においては、カード２０１の供給前においてのみ供給トレイ３０５を上昇させる。しかし、ＩＣタグ２０５にデータの書き込んでいる以外のとき、例えば、ＩＣタグ２０５に対するデータの書き込みが終了したステップＳ９の後に、供給トレイ３０５を上昇させてもよい。また、図１１の例においては、複数枚のカードを処理する場合に、データの書き込み処理と、画像の記録処理と、の実施時期をずらしている。しかし、１つのカードに対するデータの書き込み処理時に、他のカードが干渉領域６０１の外に位置していていなければ、先行するカードに対する記録処理と、後続のカードに対するデータの書き込み処理と、を並行して実施することもできる。
【００３７】
以上説明したように本実施形態の記録装置は、記録媒体を把持するような構成をとることでさらなる小型化を実現できる。
【００３８】
（第３の実施形態）
図１２および図１３は、本発明の第３の実施形態を説明するための図であり、前述した第１の実施形態と同様の部分については説明を省略する。本実施形態においては、記録装置から独立した書き込み装置を含む記録システムが構成されている。
【００３９】
図１２は、本実施形態における記録システムの構成図であり、記録装置１１０１はプリンタケーブル１１０２によって、情報処理装置としてのホスト装置（ホストコンピュータ）１１００に接続される。ホスト装置１１００は、画像データおよび記録媒体に関する情報などを制御コマンドとして、プリンタケーブル１１０２を介して記録装置１１０１に出力する。記録装置１１０１の状態は、プリンタケーブル１１０２を介してホスト装置１１００に通知される。
【００４０】
記録装置１１０１に設置された書き込み装置１１０４は、通信ケーブル１１０３によって、ホスト装置１１００に接続される。ホスト装置１１００は、ＩＣタグの書き込み情報を制御コマンドとして、通信ケーブル１１０３を介して書き込み装置１１０４に出力する。書き込み装置１１０４の状態は、通信ケーブル１１０３を介してホスト装置１１００に通知される。記録装置１１０１は、ケーブル１１０２，１１０３を介してホスト装置１１００と通信可能であり、そのホスト装置１１００から指示に基づいて後述するように動作する。
【００４１】
図１３は、カード２０１のＩＣタグ２０５に対するデータの書き込み処理、およびカード２０１に対する画像の記録処理を説明するためのフローチャートである。前述した第１の実施形態における図８のフローチャートと同様の処理については、同一のステップ番号を付す。
【００４２】
第１の実施形態と同様に、記録装置１１０１は、ホスト装置１１００から図４のような記録コマンドを受信することにより（ステップＳ１）、まず供給トレイ３０５を上昇させて（ステップＳ２）、最上位の１枚目のカード２０１ａを供給可能な状態とする。そして、１枚目のカード２０１ａを供給ユニット３０６から搬送ユニット３０３に供給させてから（ステップＳ３）、搬送ユニット３０３によってカード２０１ａの搬送を開始する（ステップＳ４）。その搬送開始後、カード２０１ａのＩＣタグ２０５に対するデータの書き込みに備えて、図６（ｂ）のように供給トレイ３０５を下降させる（ステップＳ５）。ＩＣタグ２０５に対するデータの書き込み可能位置に、カード２０１ａが到達したか否かを判定し（ステップＳ６）、その書き込み可能に達するまでカード２０１ａを搬送する。そして、その書き込み可能位置にカード２０１ａが到達後、２枚目以降のカード２０１が干渉領域６０１の外に位置まで下降したか否か、つまり供給トレイ３０５の下降が完了したか否かを判定し（ステップＳ７）、その下降が完了してなければ、その完了を待つ。
【００４３】
その後、本実施形態においては、書き込み装置１１０４からホスト装置１１００へ書き込み準備完了を通知する（ステップＳ３１）。その書き込み通知完了を受け取ったホスト装置１１００は、書き込み装置１１０４にデータの書き込みを指示する（ステップＳ３２）。その指示を受けた書き込み装置１１０４は、カード２０１ａのＩＣタグ２０５に対するデータの書き込みを実施する（ステップＳ８）。そのデータの書き込み終了後（ステップＳ９）、その書き込みが成功したかどうか判定し（ステップＳ１０）、その書き込みが正常に終了しなかった場合には、ホスト装置１１００に書き込みエラーを通知する。その書き込みが正常に終了した場合には、書き込み装置１１０４がホスト装置に書き込み完了を通知し（ステップＳ３３）、その通知を受けたホスト装置１１００は、記録装置１１０１に記録動作を指示する（ステップＳ３４）。その指示を受けた記録装置１１０１は、記録ユニット３０１によってカード２０１ａに画像を記録し（ステップＳ１１）、その記録終了後に、ホスト装置１１００に記録完了を通知する（ステップＳ３５）。その後、所定枚数のカードに対する処理（データ書き込み処理および画像の記録処理）が完了したか否かを判定し（ステップＳ１２）、その所定枚数のカードに対する処理が完了したときは、図１３の一連の処理を終了する。
【００４４】
所定枚数のカードに対する処理が完了していないときには、前述した実施形態と同様に、干渉領域６０１内にカード２０１が存在していないことを確認してから（ステップＳ１３）、先のステップＳ２に戻る。干渉領域６０１内にカード２０１が存在しているときは、それが干渉領域６０１の外に搬送されるまで待機してから、先のステップＳ２に戻る。
【００４５】
前述した第１の実施形態同様に、図１３の例においては、カード２０１の供給前においてのみ供給トレイ３０５を上昇させる。しかし、ＩＣタグ２０５にデータの書き込んでいる以外のとき、例えば、ＩＣタグ２０５に対するデータの書き込みが終了したステップＳ９の後に、供給トレイ３０５を上昇させてもよい。また、図１１の例においては、複数枚のカードを処理する場合に、データの書き込み処理と、画像の記録処理と、の実施時期をずらしている。しかし、１つのカードに対するデータの書き込み処理時に、他のカードが干渉領域６０１の外に位置していていなければ、先行するカードに対する記録処理と、後続のカードに対するデータの書き込み処理と、を並行して実施することもできる。
【００４６】
本実施形態においては、記録装置と書き込み装置とを独立して構成することができる。
【００４７】
（他の実施形態）
書き込み装置３０４はデータの読み込み機能をも有していてもよく、この場合には、ＩＣタグ２０５にデータの書き込みおよび読み込みを行うことができる。また、書き込み装置３０４に代えて、データの読み込み装置を備えることにより、ＩＣタグ２０５からデータの読み込むことができる。この場合には、記録装置から独立した読み込み装置を構成することもでき、また、その読み込み装置とＩＣタグ２０５の性能に応じて干渉領域６０１を設定する。このように、データの書き込み時および読み込み時における干渉領域を設定することにより、データの確実な書き込みおよび／または読み込みに必要な空間を確保することができる。
【００４８】
また、カードの搬送方向Ａは必ずしも略水平方向でなくてもよく、また供給トレイまたは排出トレイの移動方向は必ずしも略鉛直方向でなくてもよい。要は、それらの方向が互いに交差する方向であればよい。このように、それらの方向が互いに交差することにより、カードの搬送方向と異なる方向においてカードの間隔を離して、データの確実な書き込みおよび／または読み込みに必要な空間を確保しつつ、装置全体の小型化を図ることができる。
【００４９】
情報の記憶部はＩＣタグ２０５のみに限定されず、情報の書き込みおよび／または読み込みが可能であればよい。また、このような記憶部を含む物体はカードのみに限定されず、シート状等の種々の形態の商品であってもよい。また、このような物体に画像を記録する記録ユニット３０１を必ずしも備える必要はなく、物体に含まれる記憶部に対して、情報の書き込みと読み込みの少なくとも一方の情報伝送を行う情報伝送装置を構成することができる。前述した第１および第２の実施形態においては、このような情報伝送装置と一体に記録装置を構成した。しかし、これらの装置は別々に構成してもよい。
【符号の説明】
【００５０】
１００  ホスト装置
１０１  記録装置
２０１  カード（物体）
２０５  非接触ＩＣタグ（記憶部）
３０１  記録ユニット
３０４  書き込み装置
３０６  供給ユニット（シート供給部）
【図１】
0006574143.tif 000002
【図２】
0006574143.tif 000003
【図３】
0006574143.tif 000004
【図４】
0006574143.tif 000005
【図５】
0006574143.tif 000006
【図６】
0006574143.tif 000007
【図７】
0006574143.tif 000008
【図８】
0006574143.tif 000009
【図９】
0006574143.tif 000010
【図１０】
0006574143.tif 000011
【図１１】
0006574143.tif 000012
【図１２】
0006574143.tif 000013
【図１３】
0006574143.tif 000014